(57)【要約】【課題】  窯業系サイディングを積上げることによって形成されるＶ字目地溝と規格サッシの上下端とが食い違って建物外壁の外観が損なわれるのを防止する。【解決手段】  サイディング１を積上げ設置した状態で形成されるＶ字目地溝２間の高さ寸法Ｌ１の設定を，規格サッシ，特にそのサッシ枠１０の高さ変化ピッチの整数倍としてこの高さ変化ピッチに応じるとともにその寸法の整数分の１の位置に上記Ｖ字目地溝２と断面を同一とする切断溝兼用のＶ字目地溝８を配置することによって，そのまま使用し又は必要に応じて該切断溝兼用のＶ字目地溝８に添って切断を施して使用して，サイディング１におけるＶ字目地溝２又は８の連続性を確保しながらサッシ枠１０の上下端を該Ｖ字目地溝２又は８と合せるようにする。【選択図】        図２
2005299272.tif 000002
【特許請求の範囲】
【請求項１】
上下に隣接する相互の端部間にＶ字目地溝を形成するように上下に積上げ設置するサイディングであって，上記Ｖ字目地溝間の高さ寸法を規格サッシの高さ変化ピッチの整数倍に設定するとともに該高さ寸法の該整数分の１の単一又は複数の位置に，該Ｖ字目地溝と断面を同一形状とする切断溝兼用のＶ字目地溝を配置してなることを特徴とする窯業系サイディング。
【発明の詳細な説明】
【技術分野】
【０００１】
本発明は戸建住宅等建物壁面の外装を行なうように使用する窯業系サイディングに関する。
【背景技術】
【０００２】
建物の外装を行なうサイディングとして，例えば窯業系，金属系等のものが使用されているが，このうち窯業系のものとして，例えば上下に隣接する相互の端部間にＶ字目地溝を形成するように上下に積上げ設置するようにしたものが知られており，このとき該サイディングは，その高さを，例えば一般に旧尺貫法に沿って設定されている建物の建築寸法に合せて４５５ｍｍ乃至その倍数として設定するものとされている。
【０００３】
【非特許文献１】日本窯業外装材協会  ２００３年６月２０日発行「窯業サイディング施工士  学科テキスト」５頁
【発明の開示】
【発明が解決しようとする課題】
【０００４】
この種窯業系サイディングを使用した外壁に肘掛窓用，小窓用等の規格サッシによる窓を設置する場合，そのサッシ枠における下枠をバックアップ材を介してサイディング上に載置するように配置することによって，該下枠の下端とサイディングの上記Ｖ字目地溝が同一線上に位置することになるが，サッシの高さ変化ピッチは一般に２００ｍｍとされるので，上枠側においてはその上端とサイディングの上記Ｖ字目地溝との間に生じる寸法差によって，上枠と該Ｖ字目地溝との間に上枠が上方に数ｃｍ程度突出する比較的大きな段差が生じて，Ｖ字目地溝がサッシ部分で断線することに起因して建物外壁の外観が損なわれるという問題点がある。またサッシの上位に設置するサイディングは，その横幅をサッシの長さとし，奥行を該段差の高さとする下向きコ字状の切欠きを形成して，これにサッシ枠の上枠を嵌め込むように設置する納まりとする必要が生じるところ，一般にこの切欠きは工事現場において持参の丸鋸等の工具を用いて行われるとともにその切込み寸法が比較的大きいことによって，長さ方向と奥行方向に向けた切り込みが定位置で停止できずにこれを超えて面内方向に幾分深くなる傾向を招き，サイディングにこの切り込みが残ることによって該切り込みから雨水が浸入して，サッシ周りの雨仕舞が損われるという問題点がある。
【０００５】
本発明はかかる事情に鑑みてなされたもので，その解決課題とするところは，規格サッシによる窓を設置する外壁に使用して，上下に隣接する相互の端部間に形成されるＶ字目地溝又はこれと同じＶ字目地溝がサッシ部分で連続してサッシを納められるようにして建物の外観を可及的良好に確保するとともにサッシ周りの雨仕舞を可及的良好に確保し得るようにした窯業系サイディングを提供するにある。
【課題を解決するための手段】
【０００６】
上記課題に添って本発明は，サイディングを積上げ設置した状態で形成されるＶ字目地溝間の高さ寸法の設定を，規格サッシの高さ変化ピッチの整数倍としてこの高さ変化ピッチに応じるとともにその寸法の整数分の１の位置に上記Ｖ字目地溝と断面を同一とする切断溝兼用のＶ字目地溝を配置することによって，そのまま使用し又は必要に応じて該切断溝兼用のＶ字目地溝に添って切断を施して使用して，サイディングにおけるＶ字目地溝の連続性を確保しながらサッシの上下端を該Ｖ字目地溝と同一線乃至これに可及的に近接した位置に配置して，建物外壁の外観を違和感がなく可及的良好なものとし，また例えばサッシの納まり上等でサイディング側の切欠きが必要になるときでも，その寸法を極く小さくし得るものとして，例えばヤスリで削るように加工することを可能とすることによって，従来の切り込みを不要として，サッシ周りの雨仕舞を良好に確保し得るようにしたものであって，即ち本発明を，上下に隣接する相互の端部間にＶ字目地溝を形成するように上下に積上げ設置するサイディングであって，上記Ｖ字目地溝間の高さ寸法を規格サッシの高さ変化ピッチの整数倍に設定するとともに該高さ寸法の該整数分の１の単一又は複数の位置に，該Ｖ字目地溝と断面を同一形状とする切断溝兼用のＶ字目地溝を配置してなることを特徴とする窯業系サイディングとし，これを発明の要旨として上記課題解決の手段としたものである。
【発明の効果】
【０００７】
本発明は以上のとおりに構成したから，サイディングを積上げ設置した状態で形成されるＶ字目地溝間の高さ寸法の設定を，規格サッシの高さ変化ピッチの整数倍としてこの高さ変化ピッチに応じるとともに上記Ｖ字目地溝と断面を同一とする切断溝兼用のＶ字目地溝を配置することによって，そのまま使用し又は必要に応じて該切断溝兼用のＶ字目地溝に添って切断を施して使用して，サイディングにおけるＶ字目地溝の連続性を確保しながらサッシの上下端を該Ｖ字目地溝と同一線乃至これに可及的に近接した位置に配置して，建物外壁の外観を違和感がなく可及的良好なものとし，また例えばサッシの納まり上等でサイディングの積上げ設置のためにサイディング側の切欠きが必要になるときでも，その寸法を極く小さくし得て，従来の切り込みを不要として，サッシ周りの雨仕舞を良好に確保し得るようにした窯業系サイディングを提供することができる。
【発明を実施するための最良の形態】
【０００８】
以下図面の例に従って本発明を更に具体的に説明すれば，１は窯業系サイディングであり，該サイディング１は，上下に隣接する相互の端部間にＶ字目地溝２を形成するように上下に積上げ設置するものとして構成してあり，本例にあってサイディング１はその上下端部に係合部を備え，該係合部を相互に係合することによって該上下の積上げ設置を行なうようにしてある。
【０００９】
本例にあって上下端部に備えた係合部は，これを幅方向全長の合决りの係合部として，該係合部を相互に合决り係合することによってサイディング１を積上げ設置し上記Ｖ字目地溝２を形成し得るようにしてある。
【００１０】
即ち本例の係合部は，その上端部において厚み方向に略１／２厚さ分をなす水平の上部載置部３と，該上部載置部３からその背面側でＬ字状をなすように上方に立ち上げ突出した略１／２厚さ分の上向き突起部４によってこれを形成し，下端部において正面と同一面をなすように下方に降下突出した同じく略１／２厚さ分の下向き突起部５と，該下向き突起部５の背面側に上向きＶ字状の水切溝７を介して配置した短寸幅水平の下部載置部６とによってこれを形成してあり，上記積上げ設置を外壁下端から下位のサイディング１の上部載置部３に対して，上位のサイディング１の下向き突起部５を載置するとともに該上位のサイディング１の下部載置部６を下位のサイディング１の上向き突起部４上面に対して載置するようにして，上記相互の合决り係合を行なうようにしてある。
【００１１】
このとき本例のサイディング１は，その正面上端，即ち上端部に形成した上記上部載置部３の正面側先端を，例えば４５度の角度で角落ししてある一方，下端部に形成した下向き突起部５の正面側先端を，例えば同じく４５度の角度で角落ししてあり，これによって，上記合决り係合によるサイディング１の積上げ設置を行なえば，これら各４５度の角落し部分が上下に合わさって，その合計角度，本例にあっては９０度のＶ字目地溝２を上下に隣接するサイディング１の上下端部間に形成するものとしてある。
【００１２】
従って最下位のサイディング１設置高さを合せてそれぞれサイディング１を合决り係合して積上げ設置すれば，幅方向に複数のサイディング１間で上記Ｖ字目地溝２が幅方向に一連となるように連続することによって，建物の外壁には多数のＶ字目地溝２が多数水平に形成されて，該建物の外壁に目地溝によるアクセント装飾を付することができる。
【００１３】
窯業系サイディング１は，その上記Ｖ字目地溝２間の高さ寸法Ｌ１を規格サッシの高さ変化ピッチの整数倍に設定するとともに該高さ寸法の該整数分の１の単一又は複数の位置に，該Ｖ字目地溝２と断面を同一形状とする切断溝兼用のＶ字目地溝８を配置したものとしてあり，これによって各サイディング１は上記多数のＶ字目地溝２間に該切断溝兼用のＶ字目地溝８を配して，更に上記アクセント装飾をバランスよい間隔と本数のＶ字目地溝２，８によってより安定したデザインをなすようにしてある。
【００１４】
本例にあって上記Ｖ字目地溝２間の高さ寸法Ｌ１は，これを規格サッシの高さ変化ピッチの２倍とし該高さ寸法を上下に２等分する上下中央位置に上記切断溝兼用のＶ字目地溝８を配置したものとしてあり，このとき本例の上記Ｖ字目地溝２間の高さ寸法Ｌ１を４００ｍｍとし，２００ｍｍピッチの高さ変化を行なう規格サッシにセットとするように用いるものとしてある。
【００１５】
即ちこれをサイディング１と規格サッシの納まり断面を示す図１及び図２によってその関係を説明すると，この場合サッシは，その高さ寸法，即ちいわゆるＨ寸法を３７０ｍｍとした住宅用半外付サッシであり，このとき室外側に露出するサッシ枠１０の上枠１１上端と下枠１２下端，即ちその網戸レール下の水切下端との寸法Ｌ２は３７９ｍｍ強とされることから，該寸法Ｌ２は上記４００ｍｍのサイディング１のＶ字目地溝２間寸法Ｌ１より小さく，その差は２０ｍｍ程度となることによって，先ずサイディング１の合决り係合によって形成されるＶ字目地溝２の連続性を妨げることがなくなり，サッシを該Ｖ字目地溝２間に納めることが可能となる。そして該２０ｍｍ程度の差は，サッシの装着に際して上下に１ｃｍ程度づつ配分するように，例えばサッシを窓台１３とまぐさ１４間に挿入して，一般に使用される径１７ｍｍ程度のバックアップ材１５を下枠１２の下面に入れ，これを介してサイディング１上に載置するように装着して，下枠１２の上記水切下端をＶ字目地溝２から１０ｍｍ程度上位に配置すれば，上枠１１上端はＶ字目地溝２から１０ｍｍ程度下位に配置され，サッシ，特にその上枠１１と下枠１２の上下端は該Ｖ字目地溝２に可及的に近接した位置に配置されて建物外壁の外観を違和感なく可及的良好なものとすることができる。このときサッシの上面にもバックアップ材１５を配置して，サッシ枠１０を上下に挟むサイディング１と上枠１１上面及び下枠１２下面間のバックアップ材１５までの空間にコーキング材１６を充填するようにサイディング１とサッシ枠１０間に雨仕舞のために水密性確保用のコーキングを施せば，該コーキングがサイディング１のＶ字目地溝２に添うようにサッシとの上記１０ｍｍ程度の空間を埋めることによってＶ字目地溝２と上枠１１上端，下枠１２下端が同一線上に位置するように視認され，更に外観を向上することができる。
【００１６】
図中９は，本例においてサッシの納まり上，特に上記雨仕舞のために施した水密性確保用のコーキング材１６との関係で，サイディング１の上記下向き突起部５の角落し部分における背面下端がコーキングを施すに際して物理的な障害となることを避けて，上枠１１上面のバックアップ材１５に向けてコーキング材１６の空間を充分に確保し得るように，サイディング１の該背面下端を上枠１１の長さに応じて幅方向一連に切り欠いた切欠きであり，本例の該切欠き９は，背面側に上向き傾斜するように斜め方向に寸法を極く小さく数ｍｍ程度とし得るものとしてあり，従って該切欠き９の形成は，これを，例えばヤスリで削るように切欠き加工して行ったものとしてあり，これによって丸鋸等の工具によって切り込みを入れる必要性を解消し，サッシ周りの雨仕舞が損なわれる可能性をなくして，これを良好に確保したものとしてある。
【００１７】
図３は，規格サッシの高さ寸法，いわゆるＨ寸法を５７０ｍｍとして，上記３７０ｍｍのＨ寸法より１ピッチの２００ｍｍ高く変化した同じく住宅用半外付サッシであり，このとき上記上枠１１上端と下枠１２の下端，即ち水切下端との寸法Ｌ２は５７９ｍｍ強とされるから，上記４００ｍｍのサイディング１とその１／２の２００ｍｍの合計の６００ｍｍとの差は，同じく２０ｍｍ程度となり，サッシを同様に装着することによって，サッシの上下中間位置に一条のＶ字目地溝２が現れてこれがサッシ部分で切られるが，上記と同じく上枠１１上端と下枠１２下端は，例えば上枠１１側においてサイディング１の合决り係合によるＶ字目地溝２に，下枠１２側において切断溝兼用のＶ字目地溝８にそれぞれ可及的に近接した位置に配置され，またコーキング材１６によってこれらが同一線上に位置するように視認されるものとすることができる。図３のその余は上記例と変わらないので同一符合を付して重複する説明を省略する。
【００１８】
図４は，更に規格サッシの高さ寸法，いわゆるＨ寸法を１５７０ｍｍとして，上記３７０ｍｍのＨ寸法より６ピッチの１２００ｍｍ高く変化した同じく住宅用半外付サッシであり，このとき上記上枠１１上端と下枠１２下端，即ち水切下端との寸法Ｌ２は１５７９ｍｍ強とされるから，上記４００ｍｍの上下に４枚分の１６００ｍｍとの差は，同じく２０ｍｍ程度となり，この場合もサッシを同様に装着することによって，サッシの上下中間位置に多数条のＶ字目地溝８が現れてこれらがサッシ部分で切られるが，上記と同じく上枠１１上端と下枠１２の水切下端は，例えば上枠１１側においてサイディング１の合决り係合によるＶ字目地溝２に，下枠１２側において切断溝兼用のＶ字目地溝８にそれぞれ可及的に近接した位置に配置され，またコーキング材１６によってこれらが同一線上に位置するように視認されるものとすることができる。図４のその余は同じく上記例と変わらないので同一符合を付して重複する説明を省略する。
【００１９】
これらの例における切断溝兼用のＶ字目地溝８は，これに添って幅方向に丸鋸等の工具を用いて１／２高さに切断使用することが可能であり，上記図３の例のときに該１／２高さに切断したものを上下のサイディング１間に介装使用したり，最上位のサイディング１として使用したりすることができ，このとき該１／２高さに切断したサイディング１は，該切断溝兼用のＶ字目地溝８を，上記合决り係合の積上げを行なうことによって形成されるＶ字目地溝２と断面を同一形状，即ち９０度のものとしたから，切断によって残存形成される４５度の傾斜面が，上下に隣接するサイディング１との間でその上部載置部３又は下向き突起部５の各４５度の角落し部分と９０度のＶ字目地溝２を形成することができ，切断に伴って外壁のＶ字目地溝２，８が失われたり，幅方向に連続するのが妨げられたりすることものない。
【００２０】
以上のように，サイディング１のＶ字目地溝２間の高さ寸法Ｌ１を４００ｍｍとし，該高さ寸法を上下に２等分する上下中央位置に切断溝兼用のＶ字目地溝８を配置したから，２００ｍｍピッチの高さ変化を行なう規格サッシにセットとするように用いることによって，高さが変化する規格サッシの室外側における上枠１１上端と下枠１２下端との寸法Ｌ２との差を２０ｍｍ程度として，該規格サッシによる窓を設置する外壁に使用して，上下に隣接する相互の端部間に形成されるＶ字目地溝２又はこれと同じＶ字目地溝８がサッシ部分で連続してサッシを納められるようにして建物の外観を可及的良好に確保するとともにサッシ周りの雨仕舞を可及的良好に確保し得るようにすることができる。
【００２１】
図示した例は以上のとおりとしたが，サイディングを規格サッシの高さ変化ピッチの３倍乃至それ以上としその倍数に応じて１／３乃至それ以上に等分する複数位置に上記切断溝兼用のＶ字目地溝を配置すること，サイディングの係合部を雄雌嵌合の係合部とすること等を含めて，本発明の実施に当って，サイディング，Ｖ字目地溝，規格サッシ等の具体的材質，形状，構造，寸法，これらの関係，これらに対する付加等は，上記発明の要旨に反しない限り様々の形態のものとすることができる。
【図面の簡単な説明】
【００２２】
【図１】サイディングとサッシの関係を示す正面図である。
【図２】図１のサイディングとサッシの関係を示す縦断面図（Ａ）及びそのサイディング設置状態の縦断面図（Ｂ）の対比図である。
【図３】他の例に係るサイディングとサッシの関係を示す縦断面図（Ａ）及びそのサイディング設置状態の縦断面図（Ｂ）の対比図である。
【図４】更に他の例に係るサイディングとサッシの関係を示す縦断面図（Ａ）及びそのサイディング設置状態の縦断面図（Ｂ）の対比図である。
【図５】サイディングの縦断面図である。
【符号の説明】
【００２３】
Ｌ１  Ｖ字目地溝間の高さ
Ｌ２  上枠上端と下枠水切下端との寸法
１  サイディング
２  Ｖ字目地溝
４  上向き突起部
５  下向き突起部
８  切断溝兼用のＶ字目地溝
１０  サッシ枠
【図１】
2005299272.tif 000003
【図２】
2005299272.tif 000004
【図３】
2005299272.tif 000005
【図４】
2005299272.tif 000006
【図５】
2005299272.tif 000007